(57)【要約】【課題】  台間ユニットの複数の操作ボタンに対して、所望の操作ボタンに所望の機能を割り当てることができる台間ユニットおよび遊技媒体貸出システムを提供する。【解決手段】  台間ユニット４００の各操作ボタンに実行する機能を設定する設定情報を機能設定カード９０３に書き込み、機能設定カード９０３を台間ユニット４００のカード挿入口４０６に挿入し、台間ユニット４００のカード処理部４３３が機能設定カード９０３を読み込んで、制御部４３１が機能設定カード９０３に書き込まれている設定情報に基づいて台間ユニット４００の操作ボタンに機能処理を割り当て、各操作ボタン４０５は押下されると割り当てられた機能処理を実行する。【選択図】  図９
2008099870.tif 000002
【特許請求の範囲】
【請求項１】
遊技台の間に配設され、貨幣若しくはカードを受け付けて該遊技台での遊技に用いる遊技媒体の貸出制御を行う台間ユニットであって、
複数の操作ボタンと、
前記操作ボタンの操作に基づき実行する機能処理を各操作ボタンに対応して設定する設定情報を受け付ける機能設定受付手段と、
前記機能設定受付手段で受け付けた前記設定情報に基づき前記複数の操作ボタンのそれぞれに対して前記機能処理を割り当てる機能割当手段と、
前記操作ボタンの操作により該操作した操作ボタンに対応して前記機能割当手段により割り当てられた機能処理を実行する機能処理実行手段と
を具備する台間ユニット。
【請求項２】
前記設定情報は、
前記操作ボタンの操作を有効若しくは無効にする設定を含む請求項１記載の台間ユニット。
【請求項３】
上位装置と通信可能に接続され、
前記機能設定受付手段は、
前記上位装置により設定された前記設定情報を該上位装置から通信回線を介して受信することにより受け付ける請求項１または２記載の台間ユニット。
【請求項４】
前記機能設定受付手段は、
携帯外部端末により設定された前記設定情報を該携帯外部端末から無線で受信することにより受け付ける請求項１または２記載の台間ユニット。
【請求項５】
前記機能設定受付手段は、
所定のカードに記録された前記設定情報を該所定のカードから読み取ることにより受け付ける請求項１または２記載の台間ユニット。
【請求項６】
遊技台の間に配設され、貨幣若しくはカードを受け付けて該遊技台での遊技に用いる遊技媒体の貸出制御を行う台間ユニットと、
前記台間ユニットに通信回線を介して接続される上位装置と
を具備し、
前記上位装置は、
前記台間ユニットに設けられた複数の操作ボタンに対応して、該操作ボタンの操作に基づき該台間ユニットで実行する機能処理を各操作ボタンに対応して設定する設定手段と、
前記設定手段で設定した設定情報を前記通信回線を介して前記台間ユニットに送信する送信手段と
を具備し、
前記台間ユニットは、
前記送信手段で送信された前記設定情報を受け付ける機能設定受付手段と、
前記機能設定受付手段で受け付けた前記設定情報に基づき前記複数の操作ボタンのそれぞれに対して前記機能処理を割り当てる機能割当手段と、
前記操作ボタンの操作により該操作した操作ボタンに対応して前記機能割当手段により割り当てられた機能処理を実行する機能処理実行手段と
を具備する遊技媒体貸出システム。
【発明の詳細な説明】
【技術分野】
【０００１】
本発明は、台間ユニットおよび遊技媒体貸出システムに関する。
【背景技術】
【０００２】
従来より、遊技客は遊技台で遊技を行うために遊技媒体を借りていた。
【０００３】
この遊技客への遊技媒体の貸出は、遊技台に隣接される台間ユニットに遊技カードが挿入されて、台間ユニットの操作ボタンが操作されることにより、遊技客が所望する遊技媒体が遊技台から投出されていた。
【０００４】
このように遊技媒体の貸出を制御する台間ユニットには操作ボタンが存在するのが常である。
【０００５】
特許文献１には、遊技客が遊技台から離れた状態になったときでも、遊技台に残された遊技カードの盗難を防止するための遊技場用管理システムが提案されている。
【０００６】
この発明は、遊技カードが台間ユニットに取り込まれた状態で、中断スイッチが一旦オンされたときには、遊技カードを排出するイジェクトスイッチの機能を無効化して遊技カードの排出を禁止し、この無効化状態からテンキーを通じて入力された暗号コードを認証して、当該無効化状態をキャンセルする技術である。
【特許文献１】特開平１０−２６３１７２号公報
【発明の開示】
【発明が解決しようとする課題】
【０００７】
このように台間ユニットには操作ボタンが配置されるが、遊技店が存在する地域性の違いなどにより、同じ機種の台間ユニットでもＡ店では「貯玉再プレイ」に関するボタンがよく利用され、Ｂ店では別の操作ボタンがよく利用されるという現象が起こる場合がある。
【０００８】
そのような場合には、台間ユニットの操作ボタンの配置は固定である為、店によってはよく利用される操作ボタンが必ずしも操作しやすい位置にあるとは限らないことが生じる。
【０００９】
そのため、台間ユニットの操作ボタンの配置を店に応じて任意に変更できる技術が望まれる。
【００１０】
また、遊技台の機種変更による台交換が行われる際に、毎回、操作ボタンのレイアウトが異なる台間ユニットを導入するのは効率的でなく、台間ユニットは交換をせずに操作ボタンに割り当てる機能の配置変更ができると効率的である。
【００１１】
そこで、この発明は、台間ユニットの操作ボタンに対して、所望の操作ボタンに所望の機能を割り当てることができる台間ユニットおよび遊技媒体貸出システムを提供することを目的とする。
【課題を解決するための手段】
【００１２】
上記目的を達成する為、請求項１の発明は、遊技台の間に配設され、貨幣若しくはカードを受け付けて該遊技台での遊技に用いる遊技媒体の貸出制御を行う台間ユニットが、複数の操作ボタンと、前記操作ボタンの操作に基づき実行する機能処理を各操作ボタンに対応して設定する設定情報を受け付ける機能設定受付手段と、前記機能設定受付手段で受け付けた前記設定情報に基づき前記複数の操作ボタンのそれぞれに対して前記機能処理を割り当てる機能割当手段と、前記操作ボタンの操作により該操作した操作ボタンに対応して前記機能割当手段により割り当てられた機能処理を実行する機能処理実行手段とを具備するように構成される。
【００１３】
また、請求項２の発明は、請求項１の発明において、前記設定情報は、前記操作ボタンの操作を有効若しくは無効にする設定を含むように構成される。
【００１４】
また、請求項３の発明は、請求項１または２記載の発明において、上位装置と通信可能に接続され、前記機能設定受付手段は、前記上位装置により設定された前記設定情報を該上位装置から通信回線を介して受信することにより受け付けるように構成される。
【００１５】
また、請求項４の発明は、請求項１または２記載の発明において、前記機能設定受付手段は、携帯外部端末により設定された前記設定情報を該携帯外部端末から無線で受信することにより受け付けるように構成される。
【００１６】
また、請求項５の発明は、請求項１または２記載の発明において、前記機能設定受付手段は、所定のカードに記録された前記設定情報を該所定のカードから読み取ることにより受け付けるように構成される。
【００１７】
また、請求項６の発明は、遊技媒体貸出システムは、遊技台の間に配設され、貨幣若しくはカードを受け付けて該遊技台での遊技に用いる遊技媒体の貸出制御を行う台間ユニットと、前記台間ユニットに通信回線を介して接続される上位装置とを具備し、前記上位装置は、前記台間ユニットに設けられた複数の操作ボタンに対応して、該操作ボタンの操作に基づき該台間ユニットで実行する機能処理を各操作ボタンに対応して設定する設定手段と、前記設定手段で設定した設定情報を前記通信回線を介して前記台間ユニットに送信する送信手段とを具備し、前記台間ユニットは、前記送信手段で送信された前記設定情報を受け付ける機能設定受付手段と、前記機能設定受付手段で受け付けた前記設定情報に基づき前記複数の操作ボタンのそれぞれに対して前記機能処理を割り当てる機能割当手段と、前記操作ボタンの操作により該操作した操作ボタンに対応して前記機能割当手段により割り当てられた機能処理を実行する機能処理実行手段とを具備するように構成される。
【発明の効果】
【００１８】
請求項１の発明によれば、台間ユニットの各操作ボタンに機能を設定して実行させることができるという効果を奏する。
【００１９】
請求項２の発明によれば、台間ユニットの各操作ボタンの操作を有効若しくは無効に設定することができるという効果を奏する。
【００２０】
請求項３の発明によれば、上位装置から通信回線を介して設定情報を受信して、台間ユニットの各操作ボタンに機能を設定して実行させることができるという効果を奏する。
【００２１】
請求項４の発明によれば、携帯外部端末から無線で設定情報を受信して、台間ユニットの各操作ボタンに機能を設定して実行させることができるという効果を奏する。
【００２２】
請求項５の発明によれば、所定のカードから設定情報を読み取り、台間ユニットの各操作ボタンに機能を設定して実行させることができるという効果を奏する。
【００２３】
請求項６の発明によれば、上位装置から通信回線を介して台間ユニットに設定情報を送信し、台間ユニットの各操作ボタンに機能を設定して実行させることができるという効果を奏する。
【発明を実施するための最良の形態】
【００２４】
以下、本発明に係わる台間ユニットおよび遊技媒体貸出システムの実施例について添付図面を参照して詳細に説明する。
【００２５】
図１は、遊技媒体貸出システム１０の概略を示す構成図である。
【００２６】
図１に示すように遊技媒体貸出システム１０は、管理サーバ３００と島コントローラ１００が接続されており、各島コントローラ１００は島内の台間ユニット４００と通信回線５００で接続される。
【００２７】
管理サーバ３００は、台間ユニット４００からの情報を受信して遊技媒体貸出システム１０内で使用されている遊技カードの残額などの情報を管理サーバ３００内のデータベースで管理する。
【００２８】
島コントローラ１００は、各島内の台間ユニット４００と管理サーバ３００との間でやり取りされる情報の中継を行う。
【００２９】
台間ユニット４００が遊技媒体の貸出制御を行う際には、受け付けた遊技カードのカードＩＤを管理サーバ３００に送信し、管理サーバ３００からその遊技カードの残額情報を受信する処理が行われる。
【００３０】
遊技台２００は、台間ユニット４００によって遊技媒体の貸出の制御が行われ、遊技客が遊技を行う。
【００３１】
このように構成される遊技媒体貸出システム１０では、台間ユニット４００の複数の操作ボタンに対して、所望の機能を所望の操作ボタンに割り当てることができる。
【００３２】
次に、台間ユニット４００の外観構成について図２を参照して説明を行う。
【００３３】
図２は、台間ユニット４００の外観構成について示した模式図。
【００３４】
台間ユニット４００は、状態表示ランプ４０１、紙幣挿入部４０２、７ＳＥＧ表示部４０３、操作パネル４０４、操作ボタン４０５、カード挿入口４０６、リモコン受光部４０７を備える。
【００３５】
状態表示ランプ４０１は、台間ユニット４００の状態を表示するランプであり、待機中は緑、エラー中は赤を点灯する。
【００３６】
紙幣挿入口４０２は、遊技客より紙幣を受け付ける。
【００３７】
７ＳＥＧ表示部４０３は、アラビア数字やアルファベットを表現する７セグメントの表示装置（６桁）であり、待機中（カード未挿入）はランニング表示を行い、カード挿入状態では遊技カードの残額表示を行い、貸出動作中は残投出個数の表示を行い、エラー発生中はエラーコードの表示を行う。
【００３８】
操作パネル４０４には、操作ボタン４０５が複数配置される。
【００３９】
操作パネル４０４上の操作ボタンを総称して操作ボタン４０５と呼び、操作パネル４０４上には操作ボタン４１１、４１２、〜４２４の１４個（７個×２列）の操作ボタン４０５が存在する。
【００４０】
操作ボタン４０５は、遊技客が、遊技媒体を借りる時や挿入された各種カードを排出する時等の各種操作に使用される。
【００４１】
カード挿入口４０６は、各種カード（遊技カード、会員カード、後述する機能設定カード等）を受け付ける。
【００４２】
このように構成される台間ユニット４００では、操作パネル４０４上の各操作ボタン４０５について、店員が所望する操作ボタン４０５に所望の機能を設定することが可能である。
【００４３】
次に、管理サーバ３００の構成について図３を参照して説明する。
【００４４】
図３は、管理サーバ３００の構成について示したブロック図である。
【００４５】
図３に示すように、管理サーバ３００は、制御部３０１、メモリ部３０２、電源部３０３、操作部３０３、表示部３０５、通信インタフェース（以下、Ｉ／Ｆと呼ぶ）部３０６を備える。
【００４６】
制御部３０１は、管理サーバ３００の統括制御を行う。
【００４７】
メモリ部３０２は、各種記憶装置で構成され、管理サーバ３００を動作させるプログラムやデータベース等を記憶する。
【００４８】
電源部３０３は、管理サーバ３００に電源を供給する。
【００４９】
操作部３０４は、キーボードで構成され、店員の指示を受け付ける。
【００５０】
表示部３０５は、ディスプレイで構成され、店員に情報を提供する。
【００５１】
通信Ｉ／Ｆ部３０６は、島コントローラ１００を経由して台間ユニット４００と情報の授受を行う。
【００５２】
このように構成される管理サーバ３００は、店員が表示部３０５で確認しながら操作部３０４を操作することで、台間ユニット４００の所望の操作ボタン４０５に所望の機能を設定することができる。
【００５３】
次に、台間ユニット４００の構成について図４を参照して説明を行う。
【００５４】
図４は、台間ユニット４００の構成について示したブロック図である。
【００５５】
台間ユニット４００は、制御部４３１、操作部４３２、カード処理部４３３、メモリ部４３４、電源部４３５、表示部４３６、紙幣処理部４３７、通信Ｉ／Ｆ部４３８、遊技台通信Ｉ／Ｆ部４３９、外部入力部４４０を備える。
【００５６】
制御部４３１は、台間ユニット４００の統括制御を行う。
【００５７】
操作部４３２は、遊技客などが台間ユニット４００に情報を入力操作する装置であり、図２の外観構成を示した模式図では操作ボタン４０５がこれに相当する。
【００５８】
カード処理部４３３は、各種カードを受け付け、該カードに記録された情報を読み取る。
【００５９】
メモリ部４３４は、各種記憶装置で構成され、台間ユニット４００を動作させるプログラムを記憶する。
【００６０】
電源部４３５は、台間ユニット４００に電源を供給する。
【００６１】
表示部４３６は、遊技客などに情報を表示する装置であり、図２の外観を示した模式図では状態表示部４０１、７ＳＥＧ表示部４０３がこれに相当する。
【００６２】
紙幣処理部４３７は、遊技客から紙幣を受け付けて真偽や金種を識別し、また、それらの紙幣を蓄積する。
【００６３】
通信Ｉ／Ｆ部４３８は、島コントローラ１００を経由して管理サーバ３００と情報の授受を行う。
【００６４】
遊技台通信Ｉ／Ｆ部４３９は、台間ユニット４００に隣接して配設される遊技台２００と通信可能であり、その遊技台２００での遊技媒体の貸出を制御する。
【００６５】
外部入力部４４０は、店員が操作するリモートコントローラより赤外線を受光して、操作ボタン４０５へ設定する機能が記された設定情報を受信し、図２の外観構成を示した模式図ではリモコン受光部４０７がこれに相当する。
【００６６】
このように構成される台間ユニット４００は、操作ボタン４０５に関して、所望の操作ボタン４０５に所望の機能を設定することが行われる。
【００６７】
この操作ボタン４０５への機能設定は、管理サーバ３００より行われる他、台間ユニット４００の外部入力部４４０より設定情報を受信して行われ、また、設定情報が書き込まれたカードがカード挿入口４０６に挿入されてカード処理部４３３が設定情報を読み取ることでも行われる。
【００６８】
次に、操作パネル４０４上の操作ボタン４０５に機能が設定されて機能設定変更が行われた例について図５を参照して説明を行う。
【００６９】
図５は、操作ボタン４０５の機能が設定変更された例について示した模式図である。
【００７０】
図５（ａ）に示すように、設定変更前は、ボタン４１１に「貸出」、ボタン４１２に「返却」、ボタン４１３に「１」、ボタン４１４に「２」、ボタン４１５に「３」、ボタン４１６に「４」、ボタン４１７に「５」、ボタン４１８に「６」、ボタン４１９に「７」、ボタン４２０に「８」、ボタン４２１に「９」、ボタン４２２に「０」、ボタン４２３に「再プレイ」、ボタン４２４に「取消」の機能が設定されている。
【００７１】
「貸出」機能は、所定額の残額の減算を行って、貸玉の払い出しを指示する機能である。
【００７２】
「返却」機能は、挿入されたカードを返却する機能である。
【００７３】
「０〜９」の機能は、再プレイ処理時に暗証番号の入力に用いられる。
【００７４】
「再プレイ」の機能は、会員カードが挿入された状態で押下されると暗証番号の入力を促し、暗証番号入力の押下が行われると、再プレイ（貯玉を減算して、再プレイ玉の投出を指示）を行なう機能である。
【００７５】
「取消」機能は、暗証番号の入力途中に押下されると入力のやり直しが出来る機能である。
【００７６】
図５（ａ）に示される状態から、遊技媒体貸出システム１０において操作ボタンの機能の設定が行われると、図５（ｂ）に示すようにボタン４１１に「返却」、ボタン４１２に「貸出」の機能が設定されて、ボタン４１３からボタン４２４までのボタンには機能が無いように設定が行われる。
【００７７】
このように、遊技媒体貸出システム１０における処理によって、台間ユニット４００の所望の操作ボタン４０５に所望の機能を割り当てて、操作ボタン４０５に設定される機能の変更をすることができる。
【００７８】
次に、台間ユニット４００の操作ボタン４０５で所望の機能が設定されて実行される処理について図６を参照して説明する。
【００７９】
図６は、台間ユニット４００の所望の操作ボタン４０５に所望の機能が設定されて実行される処理フローを示したフローチャートである。
【００８０】
遊技媒体貸出システム１０において、台間ユニット４００の操作ボタン４０５の機能を設定するために、店員は設定情報を入力できる外部端末より入力を行い、その結果、外部端末は設定情報を受け付ける（ステップ６０１）。
【００８１】
設定情報の入力が行える外部端末は、管理サーバ３００、リモートコントローラ、カードに情報を書き込める端末である（それぞれの設定操作については後述する。）。
【００８２】
店員は、これら３つの外部端末のいずれかを利用して操作ボタン４０５に機能を設定するための設定情報の入力を行う。
【００８３】
その後店員は設定情報を台間ユニット４００に適用して、その結果、台間ユニット４００の制御部４３１により、設定情報に基づいた操作ボタン４０５への機能割り当てが行われる（ステップ６０２）。
【００８４】
操作ボタン４０５に機能の設定が行われると、操作パネル４０４の表面のシール張り替えが行われ（ステップ６０３）、遊技客は、操作ボタン４０５に設定された機能を張られたシールを見て判別できるようになる。
【００８５】
その結果、遊技客が台間ユニット４００の操作ボタン４０５の中から所望の操作ボタン４０５を選択して押下すると（ステップ６０４）、制御部４３１は押下された操作ボタン４０５に割り当てられた機能を実行させる（ステップ６０５）。
【００８６】
次に、店員が操作ボタン４０５の機能を設定する時に使用される外部端末について図７、図８、図９を参照して説明を行う。
【００８７】
図７では、管理サーバ３００で設定情報が入力される処理について説明し、図８では、リモートコントローラで設定情報が入力される処理について説明し、図９では、カードに情報を書き込める端末で設定情報が入力される処理について説明する。
【００８８】
図７は、管理サーバ３００の表示部３０５に表示される機能設定画面７００の画面構成図である。
【００８９】
機能設定画面７００には、機能を設定する台間ユニット４００の島名と機種名とが選択できるコンボボックスと台番号が数値入力される入力欄とが表示され（参照番号７０１）、その下に各操作ボタンの機能を選択するコンボボックスが表示され（参照番号７０２）、最下部には、管理サーバ３００において設定された内容を各台間ユニット４００に配信する機能を有するボタンであり、選択された台間ユニット４００に選択されたボタンに対する機能を適用して設定を行う適用ボタン７０３が表示される。
【００９０】
各操作ボタンにコンボボックスが配置され、ボタン１〜ボタン１４まで各々のボタンに設定される機能が配置されるコンボボックスから選択される。
【００９１】
このコンボボックスから機能が選択されることで、操作ボタン４０５とその操作ボタン４０５に設定する機能との組み合わせが選択される。
【００９２】
各操作ボタンの機能を選択するコンボボックスは、選択される機能である「貸出」、「返却」、「再プレイ」、「取消」、「０」、「１」、〜「９」、「未使用」などが選択可能である。
【００９３】
「未使用」が選択されると、選択された操作ボタンには機能が設定されず、その操作ボタンは機能未設定とされ、「未使用」が選択されることとそれ以外が選択されることが使い分けられることによって、操作ボタンへの機能の有無が設定される。  
このように遊技媒体貸出システム１０では、管理サーバ３００より入力が行われて、複数の台間ユニット４００に対して所望の操作ボタン４０５に所望の機能を割り当てる設定が一括して可能である。
【００９４】
次に、店員が外部端末としてリモートコントローラを使用する場合について図８を参照して説明する。
【００９５】
図８は、店員が操作ボタン４０５の機能を設定する際のリモートコントローラ８００を示した模式図である。
【００９６】
図８に示すように、リモートコントローラ８００は、液晶画面８０１、矢印キー８０２、ＯＫキー８０３、適用（送信）キー８０４、発光部８０５を備える。
【００９７】
液晶画面８０１には、台間ユニット４００の操作ボタン４０５の機能を設定するための機能設定画面が表示される。
【００９８】
表示される機能設定画面には、台間ユニット４００を選択する欄（参照番号８１１）と、各操作ボタンの機能を選択する欄（参照番号８１２）とがある。
【００９９】
そして、各操作ボタンにコンボボックスが配置され、ボタン１〜ボタン１４まで各々のボタンに設定される機能が配置されるコンボボックスから選択される。
【０１００】
このコンボボックスから機能が選択されることで、操作ボタン４０５とその操作ボタン４０５に設定する機能との組み合わせが選択される。
【０１０１】
各コンボボックスでは選択される機能である「貸出」、「返却」、「再プレイ」、「取消」、「０」、「１」、〜「９」、「未使用」などが選択可能とされる。
【０１０２】
「未使用」が選択されると、選択された操作ボタンには機能が設定されず、その操作ボタンは機能未設定とされ、「未使用」が選択されることとそれ以外が選択されることが使い分けられることによって、操作ボタンへの機能の有無が設定される。
【０１０３】
矢印キー８０２は、液晶画面８０１で機能を設定するために、液晶画面８０１に表示されるカーソルを操作するために使用される。
【０１０４】
ＯＫキー８０３は、設定情報を変更する項目を選択する際や、コンボボックス内の機能を選択する際に使用される。
【０１０５】
適用（送信）キー８０４は、液晶画面８０１で選択された内容を台間ユニット４００に送信して操作ボタン４０５への機能設定を適用する際に押下され、適用（送信）キー８０４が押下されることで、選択された設定情報が赤外線信号に変換されて発光部８０５から台間ユニット４００のリモコン受光部４０７に送信される。
【０１０６】
発光部８０５は、液晶画面８０１で選択された設定情報が変換された赤外線信号を台間ユニット４００のリモコン受光部に送信する。
【０１０７】
このように構成されるリモートコントローラ８００では、店員が、液晶画面８０１に表示される機能設定画面より、機能設定する台間ユニット４００を選択して、各操作ボタン４０５に設定する機能をボタン毎に選択し、選択が終了すると、リモートコントローラ８００の発光部８０５を機能設定する台間ユニット４００のリモコン受光部４０７に向けて適用（送信）キー８０４を押下すると、リモコン受光部４０７が赤外線を受信し、制御部４３１が台間ユニット４００の操作ボタン４０５に機能設定する。
【０１０８】
機能設定しようとする台間ユニット４００に対して、１台１台送信することにより、複数の台間ユニット４００の機能設定を行うことができる。
【０１０９】
このように遊技媒体貸出システム１０では、リモートコントローラ８００より入力が行われて、台間ユニット４００の所望の操作ボタン４０５に所望の機能を割り当てる設定が可能である。
【０１１０】
リモートコントローラ８００において設定された台番号と設定情報を受信した台間ユニット４００の台番号が一致しない場合は、設定エラーとなる。
【０１１１】
次に、カードに情報を書き込める端末で設定情報が入力される場合について図９を参照して説明する。
【０１１２】
図９は、店員がカードに情報を書き込める端末が利用されて、台間ユニット４００の操作ボタン４０５への機能設定が行われる処理について示した模式図である。
【０１１３】
なお、この端末は、遊技場の事務所等に設置され、所定の権限を有する管理者のみが操作できるものである。
【０１１４】
この処理においては、図９に示すように、カードに情報が書き込めるカードリーダライタ（以下、カードＲ／Ｗと呼ぶ）９０１と、カードＲ／Ｗ９０１に接続されたパーソナルコンピュータ９０２と設定情報が書き込まれる機能設定カード９０３とが使用される。
【０１１５】
パーソナルコンピュータ９０２には、台間ユニット４００の操作ボタン４０５に機能を設定する機能設定画面９０４を開いて選択された設定情報をカードＲ／Ｗ９０１を使って機能設定カード９０３に書き込むことができるプログラムが記憶される。
【０１１６】
店員は、台間ユニット４００のカード処理部４３３で読み込み可能な機能設定カード９０３をカードＲ／Ｗ９０１に挿入し、パーソナルコンピュータ９０２上に操作ボタン４０５の機能を設定する為の機能設定画面９０４を開く。
【０１１７】
機能設定画面９０４には、台間ユニット４００を選択する欄と、各操作ボタンの機能を選択する欄とがある。
【０１１８】
そして、各操作ボタンにコンボボックスが配置され、ボタン１〜ボタン１４まで各々のボタンに設定される機能が配置されるコンボボックスから選択される。
【０１１９】
このコンボボックスから機能が選択されることで、操作ボタン４０５とその操作ボタン４０５に設定する機能との組み合わせが選択される。
【０１２０】
各操作ボタンの機能を選択する欄にはコンボボックスが表示され、各コンボボックスでは選択される機能である「貸出」、「返却」、「再プレイ」、「取消」、「０」、「１」、〜「９」、「未使用」などが選択可能とされる。
【０１２１】
「未使用」が選択されると、選択された操作ボタンには機能が設定されず、その操作ボタンは機能未設定とされ、「未使用」が選択されることとそれ以外が選択されることが使い分けられることによって、操作ボタンへの機能の有無が設定される。
【０１２２】
店員は、機能設定画面９０４より選択した設定情報をカードＲ／Ｗ９０１を使用して機能設定カード９０３に書き込む。
【０１２３】
なお、機能設定カード９０３には、機能設定処理に入る旨の指示情報も記録されている。
【０１２４】
次に、店員は、設定する情報が書き込まれた機能設定カード９０３を、設定を行う台間ユニット４００のカード挿入口４０６に挿入する。
【０１２５】
機能設定カード９０３が挿入されると、挿入された機能設定カード９０３に書き込まれた設定情報が台間ユニット４００のカード処理部４３３より読み込まれ、制御部４３１がそれを適用し、台間ユニット４００の操作ボタン４０５に機能設定が行われる。
【０１２６】
このように、カードＲ／Ｗ９０１とパーソナルコンピュータ９０２を利用して機能設定カード９０３に設定情報を書き込み、機能設定カード９０３が台間ユニット４００のカード挿入口４０６に挿入されることで、台間ユニット４００の所望の操作ボタン４０５に所望の機能を割り当てる設定が可能である。
【０１２７】
次に、操作パネル４０４上の操作ボタン４０５に所望の機能が設定された後、操作パネル４０４上での操作ボタン４０５の機能表示について２つの例を図１０を参照して説明を行う。
【０１２８】
図１０は、操作ボタン４０５に所望の機能が設定された後の、操作パネル４０４上での操作ボタン４０５の機能表示例について示した模式図である。
【０１２９】
図１０（ａ）は、操作ボタン４０５の機能表示がボタン内部のランプの点灯により行われた場合について示した模式図であり、図１０（ｂ）は、操作パネル４０４に操作ボタン４０５の機能を表示する液晶画面が配置されている場合の機能表示について示した模式図である。
【０１３０】
図１０（ａ）に示すように、ボタン１００１、ボタン１００２の内部に小型ＬＥＤ（Light Emitting Diode）が設置されていて、ボタン１００１には「再プレイ」の機能が設定され、小型ＬＥＤによって「再プレイ」を意味する緑色に点灯されて、ボタン１００２には機能は設定されていない。
【０１３１】
新たな機能設定後には、ボタン１００１には「貸出」の機能が設定され小型ＬＥＤによって「貸出」を意味する青色に点灯されて、ボタン１００２には「返却」の機能が設定され小型ＬＥＤによって「返却」を意味する赤色に点灯される。
【０１３２】
このように機能表示されることにより、遊技客にとっては、所望の機能の操作ボタンを探すときに色で判断して操作ボタンを探すことができるので利用し易い。
【０１３３】
また、操作ボタン４０５に設定される機能と操作ボタン４０５を点灯させる色との組み合わせは台間ユニット４００のメモリ部４３４に記憶されるので、操作ボタン４０５の機能が設定された際に、制御部４３１が設定された機能と点灯させる色との組み合わせをメモリ部４３４より参照して適切な色で操作ボタン４０５を点灯させるように構成される。
【０１３４】
また、図１０（ｂ）に示すように、操作パネル４０４上には、各操作ボタン４０５の下に各操作ボタンの機能を表示する液晶画面が配置される場合も可能である。
【０１３５】
そして、操作ボタン１００５には「再プレイ」の機能が設定され、操作ボタン１００５の下の液晶画面１００６には再プレイの表示が行われており、操作ボタン１００７には機能が設定されておらず下の液晶画面１００８には何も表示されていない。
【０１３６】
新たに機能が設定されると、操作ボタン１００５には「貸出」の機能が設定され、その下の液晶画面１００６には当該操作ボタン１００５の機能である「貸出」の表示が行われ、また、操作ボタン１００７には「返却」の機能が設定され、その下の液晶画面１００８には当該操作ボタン１００７の機能である「返却」の表示が行なわれる。
【０１３７】
このように操作ボタンの下の液晶画面に操作ボタンに設定された機能の内容が表示されるので、店員が設定変更される度に、操作パネルに操作ボタンの機能を表示するシールを新たに貼り付ける必要がなく便利である。
【０１３８】
なお、以上説明した台間ユニット４００は、ＣＲユニット、投出機能付きＣＲユニット、台間玉貸機、台間メダル貸出機などに適用することができ、遊技台の台間に設定されて遊技台での遊技媒体の貸出制御を行う装置で適用可能である。
【０１３９】
なお、図５を参照して、台間ユニット４００の操作ボタン４０５に設定される機能の変更について説明したが、変更ではなく、台間ユニット４００の操作ボタン４０５に機能が設定されていない未設定の状態から所望の機能を設定するようにすることも、もちろん可能である。
【０１４０】
なお、リモートコントローラ８００において、「台番号」を入力設定して、実際に設定情報が送信された台間ユニット４００の台番号と一致するか否かの判定が行なわれるように説明したが、台番号は入力設定されないで、設定情報が送信された台間ユニット４００は全て設定するように構成しても良い。
【産業上の利用可能性】
【０１４１】
この発明は、台間ユニットおよび遊技媒体貸出システムにおいて利用可能である。
【０１４２】
この発明によれば、台間ユニットの所望の操作ボタンに所望の機能を設定することができる。
【図面の簡単な説明】
【０１４３】
【図１】遊技媒体貸出システム１０の概略を示す構成図。
【図２】台間ユニット４００の外観構成について示した模式図。
【図３】管理サーバ３００の構成について示したブロック図。
【図４】台間ユニット４００の構成について示したブロック図。
【図５】操作ボタン４０５の機能が設定変更された例を示した模式図。
【図６】操作ボタン４０５に所望の機能が設定されて実行される処理フローを示したフローチャート。
【図７】管理サーバ３００に表示される機能設定画面７００の画面構成図。
【図８】リモートコントローラ８００の模式図。
【図９】カードに情報を書き込んで、操作ボタン４０５への機能設定が行われる処理を示した模式図。
【図１０】操作ボタン４０５の機能表示例を示した模式図。
【符号の説明】
【０１４４】
１０    遊技媒体貸出システム
１００    島コントローラ
２００    遊技台
３００    管理サーバ
３０１    制御部
３０２    メモリ部
３０３    電源部
３０４    操作部
３０５    表示部
３０６    通信Ｉ／Ｆ部
４００    台間ユニット
４０１    状態表示ランプ
４０２    紙幣挿入部
４０３    ７ＳＥＧ表示部
４０４    操作パネル
４０５    操作ボタン
４０６    カード挿入口
４０７    リモコン受光部
５００    通信回線
７００    機能設定画面
８００    リモートコントローラ
８０１    液晶画面
８０２    矢印キー
８０３    ＯＫキー
８０４    適用（送信）キー
８０５    発光部
９０１    カードリーダライタ
９０２    パーソナルコンピュータ
９０３    機能設定カード
９０４    機能設定画面
１００５、１００７    操作ボタン
１００６、１００８    液晶画面
【図１】
2008099870.tif 000003
【図２】
2008099870.tif 000004
【図３】
2008099870.tif 000005
【図４】
2008099870.tif 000006
【図５】
2008099870.tif 000007
【図６】
2008099870.tif 000008
【図７】
2008099870.tif 000009
【図８】
2008099870.tif 000010
【図９】
2008099870.tif 000011
【図１０】
2008099870.tif 000012